【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
胴軸と同軸に揺動可能な少なくとも一つの引張り部材を備え、該引張り部材に胴ばりが保持されるようになっている、印刷機胴上に胴ばりを保持し張るための装置において、
ロック装置（9,11,13,15,109,209,309,409,509）によってロックされるてこ（17,117,217,317,417,517,617）と、
ばね部材（7,107,207,307,407,507,607）であって、前記てこ（17,117, 217,317,417,517,617）が回転運動をする際に前記ばね部材（7,107,207,307,407,507,607）を介して引張り部材（5,105,205,305,405,505,605）に引張り力が伝達されることにより、前記胴ばり（3,103,203,303,403,503,603）を張るようになっているばね部材（7,107,207,307,407,507,607）と、
を備えていることを特徴とする、印刷機胴上に胴ばりを保持し張るための装置。
【請求項２】
前記引張り部材（205,305,405,505,605）の前記揺動のために必要な、および／または前記胴ばり（203,303,403,503,603）を張るために必要な力を前記引張り部材（205,305,405,505,605）に伝達する別のてこ（221,321,421,521,621）を備えている、請求項１記載の、印刷機胴上に胴ばりを保持し張るための装置。
【請求項３】
前記てこ（317,517,617）および／または前記別のてこ（521,621）が、前記胴軸（525,625）から偏位した位置に配置されたてこ軸（319,519,619;523,623）を備えている、請求項２に記載の、印刷機胴上に胴ばりを保持し張るための装置。
【請求項４】
前記別のてこ（521,621）と前記引張り部材（505,605）が、直線状案内部材（539,639）を介して互いに連結されている、請求項３記載の、印刷機胴上に胴ばりを保持し張るための装置。
【請求項５】
前記てこ（217,417,617）と前記別のてこ（221,421,621）が、共通のてこ軸（219,223;419,423;619,623）上に互いに回転可能に配置されている、請求項２〜４のいずれか１項に記載の、印刷機胴上に胴ばりを保持し張るための装置。
【請求項６】
前記てこ（217,317,417,617）と前記別のてこ（221,321,421,621）が、前記ばね部材（207,307,407,607）を介して恒常的に作用連結状態にある、請求項２〜５のいずれか１項に記載の、印刷機胴上に胴ばりを保持し張るための装置。
【請求項７】
前記てこ（417,421;617,621）が、互いに特定角度位置を越えて回転するのを阻止する係合部材（449,649）を備えている、請求項６記載の、印刷機胴上に胴ばりを保持し張るための装置。
【請求項８】
前記ばね部材（407,607）が付勢状態に保たれている、請求項６または７に記載の、印刷機胴上に胴ばりを保持し張るための装置。
【請求項９】
弓形状案内部材（27,127,527,627,727）、特に前記胴軸（25,125,525,625）と同軸に延びる案内面を備えたつなぎリンク案内部材によって、前記引張り部材（5,105,505,605,705）が案内される、請求項１〜８のいずれか１項に記載の、印刷機胴上に胴ばりを保持し張るための装置。
【請求項１０】
前記引張り部材（605）が少なくとも、前記弓形状案内部材（627）内および前記直線状案内部材（639）内で案内されるようになっている被案内部材（631）を備えている、請求項４〜９のいずれか１項に記載の、印刷機胴上に胴ばりを保持し張るための装置。
【請求項１１】
前記ロック装置（9,109,209,309,409,509）が、伝動機構（11,13,15）として、特に、固定ブロック（11）、移動ブロック（13）、スピンドル（15）からなるねじ伝動装置として構成されており、該ねじ伝動装置は、前記てこ（617）の第１の回転方向への回転を防止するとともに、第２の回転方向へ前記第１のてこ（617）の回転を可能にするようになっている、請求項１〜10のいずれか１項に記載の、印刷機胴上に胴ばりを保持し張るための装置。
【請求項１２】
前記引張り部材（705）が、前記印刷機胴に関し半径方向に付勢されている、請求項１〜11のいずれか１項に記載の、印刷機胴上に胴ばりを保持し張るための装置。
【請求項１３】
前記弓形状案内部材（727）と、該弓形状案内部材（727）内を案内される部材（729、731）とが、ばね部材（707）により、望ましい案内面（769、771）に互いに接触した状態に保たれている、請求項９〜12のいずれか１項に記載の、印刷機胴上に胴ばりを保持し張るための装置。
【請求項１４】
請求項１〜13のいずれか１項に記載の、印刷機胴上に胴ばりを保持し張るための装置を備えた印刷機。
【手続補正２】
【補正対象書類名】明細書
【補正対象項目名】０００５
【補正方法】変更
【補正の内容】
【０００５】
【課題を解決するための手段】
この目的は、本発明によれば、請求項１の特徴を有する装置によって達成することができる。
【手続補正３】
【補正対象書類名】明細書
【補正対象項目名】０００７
【補正方法】変更
【補正の内容】
【０００７】
本発明によると、この装置は、てこ、ばね部材、およびロック装置を含んでいる。てこは、ロック装置により、特定の位置に保つことができる。ばね部材は、ばね部材とてこの間に固定的な結合が形成されるように、または伝動上の結合が生じるように、てこに配置されている。この配置にあっては、てこの回転運動によってばね部材の変形が行われ、このときばね部材の有効となる引張り力が引張り部材に伝達される。
【手続補正４】
【補正対象書類名】明細書
【補正対象項目名】０００９
【補正方法】変更
【補正の内容】
【０００９】
このてこ、および／またはこの別のてこは、胴軸から偏心して配置されたてこ軸を備えていることが好ましい。この別のてこと引張り部材は、好ましくは直線状案内部材を介して互いに連結され、これにより、別のてこと引張り部材との間での相対運動が可能になる。このてこと別のてこは、好ましくは、互いに回転可能に共通のてこ軸上に配置することができる。てこと別のてことの間のばね部材は、このばね部材を介して、てこと別のてことが永続的に伝動可能な状態で連結されるように配置されることが好ましい。ばね部材は、この場合、力を伝達するブリッジ部材として作用する。さらにまた、係合部材を備えることが可能であり、この係合部材は、予め定められた角度状態を介して、互いにてこと別のてこの回転を阻止し、これにより、ばね部材が付勢された状態に保たれるとともに、てこと別のてこが共に回転運動することを可能にする。本発明のこの実施態様にあっては、これらのてこ間の角度は、第１の回転方向において引張り方向に抗した回転の場合には一定に保たれ、また、第２の回転方向においては実質的に一定に保たれる。ブリッジ部材として作用するばね部材により、てこが永続的な伝動状態に連結されている場合も、そしてまた、係合部材により付勢状態に保たれているばね部材を介して、これらのてこが連結されている場合も、てこと別のてこは、恒常的に作用連結状態にある。さらにまた、てこと別のてこの間におけるばね部材は、力を伝達するブリッジ部材として作用するこのばね部材を介して、てこと別のてこが互いに連結可能となるように配することもできる。上述したような、てこおよび／または引張り部材と連結可能なばね部材は、付勢された状態に保つこともできる。このようにして、例えば、ガス圧ばねに似た、ケーシング内のコイルばねを、ガス状媒体の代わりとして、付勢された状態に保つことができる。弓形状の案内部材、特に、胴軸から同心的に延び引張り部材を案内する案内面を有するつなぎリンク案内部材を備えるようにすることも可能である。さらにまた、引張り部材に取り付けられ、弓形状案内部材内を、そしてまた直線状案内部材内を案内されるようになっているスライド部材を備えるようにすることが可能である。本発明のさらに他の実施態様にあっては、伝導機構として（特に、固定ブロック、移動ブロック、スピンドルからなるねじ伝動装置として）構成されたロック装置を備えることも可能である。このロック装置は、ロックされたてこを、引張り方向に相応する第２の回転方向に動かすことができるような回転状態において、引張り方向に抗する第１の回転方向に、てこをロックする。